【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
遠隔患者看護環境（１０）の自動設定（４０）を提供するためのシステムであって、
ネットワーク接続（１１）を介した中央サーバ（１３）への接続性（４１）を確認する、遠隔インターフェース（１２３）と、
ユーザインターフェース（２３）を介して提供される制御を通して無線接続可能な１つ以上のモニタリングデバイス（１５〜１８）によって、患者（１４）のデータ報告（４２）を誘導する患者管理デバイス上の構成モジュール（１２５）と、
該デバイス（１５〜１８）が、無線接続（４４）を確立し、アクセス許可を条件として、該データ（１０１）の報告を試行する場合に、該デバイス（１５〜１８）のそれぞれを登録する（４３）、ルックアップモジュール（１２４）と、
該アクセス許可の付与の際に、該デバイス（１５〜１８）と無線接続（４４）し、続いて、該無線接続（４４）を介して、該データ（１０１）を受信する、遠隔インターフェース（１２３）と
を備える、システム。
【請求項２】
前記デバイス（１５〜１８）のうちの１つ以上は、操作パラメータ（１１３）を該デバイス（１５〜１８）に指定することによって、再構成（４６）される、請求項１に記載のシステム。
【請求項３】
前記操作パラメータ（１１３）は、個人識別番号、サービス名、およびタイムクロックから成る群から選択される、請求項２に記載のシステム。
【請求項４】
前記操作パラメータ（１１３）は、前記ユーザインターフェース（２３）および前記中央サーバ（１３）のうちの少なくとも１つを介して指定される、請求項２に記載のシステム。
【請求項５】
前記各デバイス（１５〜１８）の登録は、種類によって制限される、請求項１に記載のシステム。
【請求項６】
前記中央サーバ（１３）への前記接続性（４４）が確認できない場合、アラート（１３９）を生成する報告モジュール（１２７）をさらに備える、請求項１に記載のシステム。
【請求項７】
前記遠隔インターフェースは、アクセス検証を介して前記中央サーバへの接続性を確認し、アクセス検証（１００）は、個人識別番号、サービス名、型番、シリアル番号、およびデバイスの種類から成る群から選択される、請求項１に記載のシステム。
【請求項８】
患者プロファイル（１３０）およびデバイス構成（１２９）のうちの少なくとも１つは、前記ネットワーク接続（１１）を介して、前記中央サーバ（１３）から検索される、請求項１に記載のシステム。
【請求項９】
前記アクセス許可が付与された前記各デバイス（１５〜１８）の中央サーバ（１３）に状態（１２６）を提供する、報告モジュール（１２７）をさらに備える、請求項１に記載のシステム。
【請求項１０】
前記無線接続（４４）を介して受信された前記データ（１０１）を保護する、セキュリティモジュール（１２６）をさらに備える、請求項１に記載のシステム。
【請求項１１】
前記データ（１０１）の保護は、
アクセス許可が以前に付与されたデバイス（１５〜１８）に対する発生源に関して、受信に応じて、該データ（１０１）を認証する、認証サブモジュール（１０２）と、
所定の限度および閾値に対し、該データ（１０１）を評価することによって、受信に応じて、該データ（１０１）の保全性を判断する、保全性サブモジュール（１０２）と、
前記無線接続（４４）を介した伝送中に、該データ（１０１）を暗号化する、暗号化サブモジュール（１０２）と
のうちの１つ以上を備える、請求項１０に記載のシステム。
【請求項１２】
アクセス許可が以前に付与された前記デバイス（１５〜１８）のうちの少なくとも１つは、無線で再接続され、続いて、前記無線接続（４４）を介して、さらなるデータ（１０１）が受信される、請求項１に記載のシステム。
【請求項１３】
前記さらなるデータは、無線再接続試行の失敗によって、一時的に保存される、請求項１２に記載のシステム。
【請求項１４】
前記モニタリングデバイス（１５〜１８）は、移植可能医療デバイス（１５）および外部医療デバイス（１６）のうちの１つを備える、請求項１に記載のシステム。
【手続補正２】
【補正対象書類名】明細書
【補正対象項目名】００１０
【補正方法】変更
【補正の内容】
【００１０】
さらに他の実施形態は、本発明を実施するために企図される最良の形態を図示することを目的として、本発明の実施形態が説明される以下の発明を実施するための最良の形態から、容易に当業者に明白となるであろう。理解されるように、本発明の精神および範囲から逸脱することなく、本発明は、その他および異なる実施形態が可能であって、そのいくつかの詳細は、種々の明白な点において修正が可能である。故に、図面および発明を実施するための最良の形態は、事実上例示的であって、制限的であるとみなされない。
例えば、本発明は以下の項目を提供する。
（項目１）
遠隔患者看護環境（１０）の自動設定（４０）を提供するためのシステムであって、
ネットワーク接続（１１）を介した中央サーバ（１３）への接続性（４１）を確認する、遠隔インターフェース（１２３）と、
ユーザインターフェース（２３）を介して提供される制御を通して無線接続可能な、１つ以上のモニタリングデバイス（１５〜１８）によって、患者（１４）のデータ報告（４２）を誘導する、構成モジュール（１２５）と、
該デバイス（１５〜１８）が、無線接続（４４）を確立し、アクセス許可を条件として、該データ（１０１）の報告を試行する場合に、該デバイス（１５〜１８）のそれぞれを登録する（４３）、ルックアップモジュール（１２４）と、
該アクセス許可の付与の際に、該デバイス（１５〜１８）と無線接続（４４）し、続いて、該無線接続（４４）を介して、該データ（１０１）を受信する、遠隔インターフェース（１２３）と
を備える、システム。
（項目２）
上記デバイス（１５〜１８）のうちの１つ以上は、操作パラメータ（１１３）を該デバイス（１５〜１８）に指定することによって、再構成（４６）される、項目１に記載のシステム。
（項目３）
上記操作パラメータ（１１３）は、個人識別番号、サービス名、およびタイムクロックから成る群から選択される、項目２に記載のシステム。
（項目４）
上記操作パラメータ（１１３）は、上記ユーザインターフェース（２３）および上記中央サーバ（１３）のうちの少なくとも１つを介して指定される、項目２に記載のシステム。
（項目５）
上記各デバイス（１５〜１８）の登録は、種類によって制限される、項目１に記載のシステム。
（項目６）
上記中央サーバ（１３）への上記接続性（４４）が確認できない場合、アラート（１３９）を生成する報告モジュール（１２７）をさらに備える、項目１に記載のシステム。
（項目７）
アクセス検証（１００）は、個人識別番号、サービス名、型番、シリアル番号、およびデバイスの種類から成る群から選択される、項目１に記載のシステム。
（項目８）
患者プロファイル（１３０）およびデバイス構成（１２９）のうちの少なくとも１つは、上記ネットワーク接続（１１）を介して、上記中央サーバ（１３）から検索される、項目１に記載のシステム。
（項目９）
上記アクセス許可が付与された上記各デバイス（１５〜１８）の中央サーバ（１３）に状態（１２６）を提供する、報告モジュール（１２７）をさらに備える、項目１に記載のシステム。
（項目１０）
上記無線接続（４４）を介して受信された上記データ（１０１）を保護する、セキュリティモジュール（１２６）をさらに備える、項目１に記載のシステム。
（項目１１）
上記データ（１０１）の保護は、
アクセス許可が以前に付与されたデバイス（１５〜１８）に対する発生源に関して、受信に応じて、該データ（１０１）を認証する、認証サブモジュール（１０２）と、
所定の限度および閾値に対し、該データ（１０１）を評価することによって、受信に応じて、該データ（１０１）の保全性を判断する、保全性サブモジュール（１０２）と、
上記無線接続（４４）を介した伝送中に、該データ（１０１）を暗号化する、暗号化サブモジュール（１０２）と
のうちの１つ以上を備える、項目１０に記載のシステム。
（項目１２）
アクセス許可が以前に付与された上記デバイス（１５〜１８）のうちの少なくとも１つは、無線で再接続され、続いて、上記無線接続（４４）を介して、さらなるデータ（１０１）が受信される、項目１に記載のシステム。
（項目１３）
上記さらなるデータは、無線再接続試行の失敗によって、一時的に保存される、項目１２に記載のシステム。
（項目１４）
上記無線接続（４４）は、Ｂｌｕｅｔｏｏｔｈ接続として実装される、項目１に記載のシステム。
（項目１５）
上記モニタリングデバイス（１５〜１８）は、移植可能医療デバイス（１５）および外部医療デバイス（１６）のうちの１つを備える、項目１に記載のシステム。
（項目１６）
上記外部医療デバイス（１６）は、自律的に操作される外部デバイス（１６）と、患者（１４）、付添者、または介護者の制御下で操作される外部デバイス（１６）と、主観的フィードバックまたは通信を受信あるいは提供するためのユーザインターフェース（２３）を含む外部デバイス（１６）とから成る群から選択される、項目１５に記載のシステム。
（項目１７）
遠隔患者看護環境（１０）の自動設定（４０）を提供するための方法であって、
ネットワーク接続（１１）を介した中央サーバ（１３）への接続性を確認（４１）するステップと、
ユーザインターフェース（２３）を介して提供される制御を通して無線接続可能な１つ以上のモニタリングデバイス（１５〜１８）によって、患者（１４）のデータ報告を誘導（４２）するステップと、
該デバイス（１５〜１８）が、無線接続（４４）を確立し、アクセス許可を条件として、該データ（１０１）の報告を試行することによって、該デバイス（１５〜１８）のそれぞれを登録（４３）するステップと、
該アクセス許可の付与に応じて、該デバイス（１５〜１８）と無線接続（４４）し、続いて、該無線接続（４４）を介して、該データ（１０１）を受信する受信するステップと
を包含する、方法。
（項目１８）
上記デバイス（１５〜１８）のうちの１つ以上は、操作パラメータ（１１３）を該デバイス（１５〜１８）に指定することによって、再構成（４６）するステップをさらに包含する、項目１７に記載の方法。
（項目１９）
上記操作パラメータ（１１３）は、個人識別番号、サービス名、およびタイムクロックから成る群から選択される、項目１８に記載の方法。
（項目２０）
上記操作パラメータ（１１３）は、上記ユーザインターフェース（２３）および上記中央サーバ（１３）のうちの少なくとも１つを介して指定される、項目１８に記載の方法。
（項目２１）
上記各デバイス（１５〜１８）の登録は種類によって制限される、項目１７に記載の方法。
（項目２２）
上記中央サーバ（１３）への上記接続性が確認できない場合、アラート（１３９）を生成（１２７）するステップをさらに包含する、項目１７に記載の方法。
（項目２３）
アクセス検証（１００）は、個人識別番号、サービス名、型番、シリアル番号、およびデバイスの種類から成る群から選択される、項目１７に記載の方法。
（項目２４）
患者プロファイル（１３０）およびデバイス構成（１２９）のうちの少なくとも１つを、上記ネットワーク接続（１１）を介して、上記中央サーバ（１３）から検索するステップをさらに包含する、項目１７に記載の方法。
（項目２５）
上記アクセス許可が付与された各デバイス（１５〜１８）の上記中央サーバ（１３）に状態（１２６）を提供するステップをさらに包含する、項目１７に記載の方法。
（項目２６）
上記無線接続（４４）を介して受信された上記データ（１０１）を保護するステップをさらに包含する、項目１７に記載の方法。
（項目２７）
上記データ（１０１）保護は、
アクセス許可が以前に付与されたデバイス（１５〜１８）に対する発生源に関して、受信に応じて、該データ（１０１）を認証（１０２）するステップと、
所定の限度および閾値に対し、該データ（１０１）を評価することによって、受信に応じて、該データ（１０１）の保全性を判断（１０２）するステップと、
上記無線接続（４４）を介して伝送中に、該データ（１０１）を暗号化するステップ（１０２）と
のうちの１つ以上を包含する、項目２６に記載の方法。
（項目２８）
アクセス許可が以前に付与された上記デバイス（１５〜１８）のうちの少なくとも１つと無線で再接続し、続いて、上記無線接続（４４）を介して、さらなるデータ（１０１）を受信するステップをさらに包含する、項目１７に記載の方法。
（項目２９）
上記さらなるデータ（１０１）は、無線再接続試行の失敗によって、一時的に保存される、項目２８に記載の方法。
（項目３０）
上記無線接続（４４）は、Ｂｌｕｅｔｏｏｔｈ接続として実装される、項目１７に記載の方法。
（項目３１）
上記モニタリングデバイス（１５〜１８）は、移植可能医療デバイス（１５）および外部医療デバイス（１６）のうちの１つを備える、項目１７に記載の方法。
（項目３２）
上記外部医療デバイス（１６）は、自律的に操作される外部デバイス（１６）と、患者（１４）、付添者、または介護者の制御下で操作される外部デバイス（１６）と、主観的フィードバックまたは通信を受信あるいは提供するためのユーザインターフェース（２３）を含む外部デバイス（１６）とから成る群から選択される、項目３１に記載の方法。
（項目３３）
項目１７に記載の方法を行うためのコードを保持する、コンピュータ読み取り可能記憶媒体。
（項目３４）
遠隔患者看護環境（１０）の自動設定（４０）を提供するための装置であって、
ネットワーク接続（１１）を介した中央サーバ（１３）への接続性を確認（４１）するための手段と、
ユーザインターフェース（２３）を介して提供される制御を通して無線接続可能される、１つ以上のモニタリングデバイス（１５〜１８）によって、患者（１４）のデータ報告を誘導（４２）するための手段と、
該デバイス（１５〜１８）が、無線接続（４４）を確立し、アクセス許可を条件として、該データ（１０１）の報告を試行することによって、該デバイス（１５〜１８）のそれぞれを登録（４３）するための手段と、
該アクセス許可の付与に応じて、該デバイス（１５〜１８）と無線接続（４４）し、続いて、該無線接続（４４）を介して、該データ（１０１）を受信するための手段と
を備える、装置。